(57)【特許請求の範囲】
【請求項１】
複数のコンクリート製床パネルを、床パネル支持部材の上面水平方向に配列し、配列した各床パネルの突き合わせにより形成された目地溝内に、目地材ノズルの先端を挿入し、モルタル充填装置のモルタルポンプから圧送されてきた目地材のモルタルを、前記目地材ノズルの吐出口から目地溝内に排出しつつ目地溝内の目地材ノズルを摺動させて順次目地部を形成し、各床パネルを一体に接合することを特徴とするコンクリート製床パネルの床構造物の施工方法。
【請求項２】
請求項１において、目地溝内に挿入した目地材ノズルの径が、目地溝の幅より小径からなりその開口面が、目地溝の長手方向の開口部と対向するように開口位置させるか、若しくは斜め上向きに開口位置させ、該開口部からモルタルを吐出し目地部を形成することを特徴とするコンクリート製床パネルの床構造物の施工方法。
【請求項３】
配列した各床パネルの突き合わせにより形成された目地溝内に挿入するモルタル充填装置の目地材ノズルのモルタル吐出口の開口面が、該目地材ノズルのモルタルポンプからの圧送ホース取り付け側の中心部と、該目地材ノズルの吐出口中心部とを結ぶ直線と、該吐出口の実質的な面とがなす角度が９０度より小さく形成されていることを特徴とする目地材ノズル。
【発明の詳細な説明】
【０００１】
【発明の属する技術分野】
この発明は建造物の床構造、特にコンクリート製パネル、ＡＬＣパネルなどを用いて構築する床構造の施工方法と、該床板と床板とを接合する目地部への目地材の充填用のノズルに関する。
【０００２】
【従来の技術】
従来、ＡＬＣ製の床パネルなどを用いて床構造を形成する方法は、Ｈ形鋼などのパネル支持部材の上面にＡＬＣ床パネルなどを水平方向に配列した後に、配列した床パネルと床パネルとの突き合わせ部に形成される目地用空隙に、モルタルなどの目地材を詰め込むことにより、床パネル間の接合を行っている。
【０００３】
【発明が解決しようとする課題】
この床パネルと床パネルとの突き合わせ部により形成された目地用空隙への目地材の詰め込みは、一般的にはモルタルが用いられている。
この配列した床パネル間に形成された目地用空隙へのモルタルの充填作業は、通常左官用の三角こてなどを用い手作業で行っているから、手間が掛かる問題がある。
【０００４】
また、目地の詰め込み作業に用いられるモルタルは、バケツなどの容器に入れられ、そのバケツなどの容器を作業現場まで運んできて作業を行うので、目地材の詰め込み作業を行つている床パネルのほか、その近傍の床パネルをもモルタルで汚す問題がある。
【０００５】
【課題を解決するための手段】
この発明は上述の課題を解決するために以下の構成としたものである。
この発明は、複数のコンクリート製床パネルを、床パネル支持部材の上面水平方向に配列し、配列した各床パネルの突き合わせにより形成された目地溝内に、目地材ノズルの先端を挿入し、モルタル充填装置のモルタルポンプから圧送されてきたモルタルを、前記目地材ノズルの吐出口から目地溝内に排出充填して目地部を形成し、各床パネルを一体に接合するコンクリート製床パネルの床構造物の施工方法としたことである。
【０００６】
また、目地溝内に挿入した目地材ノズルの径が挿入する目地溝の幅より小径に形成され、その開口面が目地溝の長手方向の開口部と対向する位置、若しくは斜め上向きに開口位置させ、その開口面からモルタルを吐出し目地部を形成するコンクリート製床パネルの床構造物の施工方法である。
【０００７】
さらに、配列した各床パネルの突き合わせにより形成された目地溝内に挿入するモルタル充填装置のモルタルを目地溝に充填する目地材ノズルのモルタル吐出口の開口面が、該目地材ノズルのモルタルポンプからの圧送ホース取り付け側の中心部と、該目地材ノズルの吐出口中心部とを結ぶ直線と、該吐出口の実質的な面とがなす角度が９０度より小さく形成されている目地材ノズルとしたことである。
【０００８】
上記のように 配列した各床パネルの突き合わせにより形成された目地溝内に、モルタル充填用ノズルの先端を挿入し、モルタル充填装置のモルタルポンプから圧送されてきたモルタルを、前記目地材ノズルの吐出口から目地溝内に排出充填して目地部を形成するので、従来の左官用三角こて等を用い手作業で目地部に目地材のモルタルを充填する施工法と異なり、作業時間を短縮できる上に作業が楽である。
【０００９】
目地材ノズルの吐出口の開口面が、該目地材ノズルのモルタルポンプからの圧送ホース取り付け側の中心部と、該目地材ノズルの吐出口中心部とを結ぶ直線と、該吐出口の実質的な面とがなす角度が９０度より小さく形成されていて、且つ施工時に、該目地材ノズルの吐出口の開口面が、目地溝の長手方向若しくは斜め上向きに開口位置させるので、モルタルの吐出が滞ることなく均一に排出されるので、目地溝内のモルタルの充填量の過不足が生じない。
【００１０】
【発明の実施の形態】
発明の実施の形態を実施例にもとづき図面を参照して説明する。
図１において、床パネル、即ちＡＬＣ床パネル１を支持するＨ形鋼からなる床パネル支持部材２を配設し、その床パネル支持部材２の上面水平方向にＡＬＣ床パネル１を敷設する。ＡＬＣ床パネル１は端部１ａがＬ字状に切欠かれており、そのＬ字状切欠端部１ａを突き合わせ敷設することにより目地溝３が形成される。その目地溝内に鉄筋８を配する。
【００１１】
前記の目地溝３に目地材のモルタル７を充填するための目地材ノズル４を挿入する。挿入する目地材ノズル４は、図３及び図４に示すようにモルタル吐出口５の開口面５ａが、モルタル充填装置のモルタルポンプ（図示せず）からの圧送ホース６の取り付け側の中心部Ｃ１と、該目地材ノズル４の吐出口５の開口面の中心部Ｃ２とを結ぶ直線Ｌと、該吐出口５の実質的な面とがなす角度θが９０度より小さく形成されている目地材ノズル４に形成する。
また、目地材ノズル４の径は挿入しようとする目地溝３の径より小径とする。
【００１２】
図示していないモルタル充填装置のモルタルポンプからの圧送ホース６に接続した目地材ノズル４を、ＡＬＣ床パネル１のＬ字状切欠端部１ａの突き合わせにより形成された目地溝３に挿入するのであるが、目地溝内に挿入した目地材ノズル４の吐出口５の開口面５ａは、目地溝３の長手方向の開口面に対向する位置若しくは斜め上向きに開口位置させる。
【００１３】
モルタル充填装置のモルタルポンプからの圧送ホース６から圧送されてきたモルタル７を目地材ノズル４の吐出口５から目地溝３内に吐出させつつ、その状態で目地溝３内を矢印Ａ方向に摺動させることにより目地溝３内に目地材のモルタルが充填される。その後、目地溝内に充填したモルタル７を三角こて等で均し仕上げをする。
【００１４】
目地材ノズル４の吐出開口面が目地溝３内で該溝の底面３ａあるいは側壁３ｂに面接することなく、常に開放された状態となっているので、圧送され吐出されたモルタル７が一カ所に滞ることがないので、モルタル７が目地溝３から溢れ出るようなることがない。
【００１５】
【発明の効果】
この発明は上述のとおりであるから、配列したＡＬＣ床パネル間に形成された目地溝へのモルタルの充填作業を、通常左官用の三角こてなどを用い手作業で行っているいる従来の施工法と異なって、経験や熟練を必要とせず、目地モルタルをの充填作業を容易に、かつ、短時間でおこなうことができる。
【００１６】
また、目地の詰め込み作業に用いられるモルタルは施工場所から離れ場所から圧送ホースで送られてくるので、従来のバケツなどの容器に入れられ、そのバケツなどの容器を作業現場まで運んできて作業を行ことがないので、目地材の詰め込み作業を行つている床パネルのほか、その近傍の床パネルをモルタルで汚すようなこともなく仕上がりが奇麗なものとなる。
【００１７】
なお、目地ノズルとモルタル圧送ホース間に円筒状継ぎ桿を配することにより屈んでの作業をする機会を少なくすることができるので、充填作業が楽である。
【図面の簡単な説明】
【図１】この発明のコンクリート製床パネルの床構造の施工方法の一例を示す斜視図である。
【図２】同上の一部断面拡大図である。
【図３】この発明の床構造施工法に用いる目地用ノズルの一実施例の側面図である。
【図４】同上の他の実施例の側面図である。
【符号の説明】
１    ＡＬＣ床パネル
１ａ    Ｌ字状切欠端部
２    床パネル支持部材
３    目地溝
３ａ    底面
３ｂ    側壁面
４    目地材ノズル
５    モルタル吐出口
５ａ    開口面
６    圧送ホース
７    モルタル
８    鉄筋
【図１】
0004186174.tif 000002
【図２】
0004186174.tif 000003
【図３】
0004186174.tif 000004
【図４】
0004186174.tif 000005